(57)【要約】【課題】  既存の一般的なGPS受信機を流用可能であって、LANのスループットを低下させることなくGPS受信機で得た情報を各装置に伝達可能とするシステムを提供。【解決手段】情報伝達システム10は、GPS衛星からの電波を受信可能なGPS受信機12と複数の芯線を有するケーブル22および24で相互に通信する複数の装置16および18とアダプタ14とを有し、GPS受信機12で取得した情報をアダプタ14を介して装置16、18間の通信に利用されない芯線に供給することにより、LANのスループットを低下させずにGPS受信機の情報を伝達するシステムである。【選択図】図１
2010081355.tif 000002
【特許請求の範囲】
【請求項１】
複数の芯線を含む第１のケーブルに接続され、該複数の芯線のうち一部の芯線を介して第２の装置と通信する第１の装置と、
所定の情報を含む信号を受信する受信装置と、
該受信装置から該所定の情報を取得し、第１のケーブルの前記一部の芯線とは異なる芯線に該所定の情報を供給するアダプタを含むことを特徴とする情報伝達システム。
【請求項２】
複数の芯線を含む第１のケーブルを介して接続され、該複数の芯線のうち一部の芯線を介して通信する第１および第２の装置と、
所定の情報を含む信号を受信する受信装置とを含み、
第１の装置は該受信装置から該所定の情報を取得し、第１のケーブルの前記一部の芯線とは異なる芯線に該所定の情報を供給することを特徴とする情報伝達システム。
【請求項３】
請求項１または２に記載のシステムにおいて、第１のケーブルはUTP(Unshielded Twisted Pair)ケーブルまたはSTP(Shielded Twisted Pair)ケーブルであることを特徴とする情報伝達システム。
【請求項４】
請求項１または２に記載のシステムにおいて、前記所定の情報を含む信号はGPS(Global Positioning System)衛星から供給されることを特徴とする情報伝達システム。
【請求項５】
請求項１または２に記載のシステムにおいて、前記所定の情報は時刻情報であることを特徴とする情報伝達システム。
【請求項６】
請求項１または２に記載のシステムにおいて、前記所定の情報は位置情報であることを特徴とする情報伝達システム。
【発明の詳細な説明】
【技術分野】
【０００１】
本発明は、情報伝達システムに関するものであり、とくにGPS（Grobal Positioning System）衛星から受け取った電波に基づいて生成されたクロック信号の伝達システムに関するものである。
【背景技術】
【０００２】
一般に、CDMA(Code Division Multiple Access)、および、WiMAX(Worldwide Interoperability for Microwave Access)などの無線通信システムでは、システム内にGPSアンテナとGPS受信機とを備え、GPS衛星から発射される電波をGPS受信機で受信してパルス信号に変換し、この信号に基づいて複数の基地局が同期を取っている。
【０００３】
例えば、特許文献１には、GPS受信機とGPS受信機から得られるパルス信号に基づいて同期を取る装置とを接続する手段としてLAN（Local Area Network）ケーブルを用いる方法が開示されている。この方法によれば、GPS受信機とGPSデータ処理装置とをEthernet（登録商標）対応LANインタフェースを用いて接続し、GPS受信機を制御する情報とGPSの測位情報とを送受信する。これにより、LAN構築時のLANケーブルの省配線を実現することができる。
【特許文献１】特開２００２−４８８５６号公報
【発明の開示】
【発明が解決しようとする課題】
【０００４】
しかしながら、特許文献１に示された方法ではGPS受信機はLANインタフェースを備えている必要があるため、既に使用されている受信機がたとえばRS-232C通信ポートを使用するものであれば、LANインタフェースを備える受信機に置き換える必要があり、GPS衛星から取得した情報をGPS受信機でパケットにする必要がある。
【０００５】
また、GPS受信機制御情報とGPS衛星から取得した情報とがパケットとしてLANに送出されるため、他のデータ通信の帯域が圧迫され、LANのスループットが低下する。
【０００６】
本発明はこのような課題に鑑み、本発明で提案する情報伝達システムは、既存のGPS受信機を流用でき、LANのスループットを低下させることなくGPS情報を送信可能なシステムを提供することを目的とする。
【課題を解決するための手段】
【０００７】
このような目的を達成するために本発明の情報伝達システムは、複数の芯線を含む第１のケーブルに接続されて複数の芯線のうち一部の芯線を介して第２の装置と通信する第１の装置と、所定の情報を含む信号を受信する受信装置と、受信装置からこの所定の情報を取得し、第１のケーブルの通信に利用される芯線とは異なる芯線にこの所定の情報を供給するアダプタを含む。
【発明の効果】
【０００８】
本発明によれば、LANインタフェースを有しない既存のGPS受信機を流用することができるのでコストの低減を図ることができる。また、受信機は取得した情報をパケット化する必要がなくなり、処理効率の低下を回避することができる。さらに、取得した情報をケーブルの空き端子を利用して伝送するので、LANのスループットの低下を回避することができる。
【発明を実施するための最良の形態】
【０００９】
次に添付図面を参照して本発明による情報伝達システムの実施例を詳細に説明する。図１は、本発明による情報伝達システムの実施例の構成を示す図である。本実施例による情報伝達システム10は、受信機12と、アダプタ14と、装置16および18と、ケーブル20、22および24とを含み、装置18はGPS衛星などから供給される時刻情報を基に同期を取る装置である。なお、本発明の理解に直接関係のない要素は省略し冗長な説明を避ける。また以下の説明で、信号はその現れる接続線の参照番号で指示する。
【００１０】
このような情報伝達システムは、LANインタフェースを備えていない既存のGPS受信機を用いることがきる。なお、以下では時刻情報の伝達システムについて述べるが、本発明はこれに限定されるものではなく、位置情報など他の情報であってもよい。
【００１１】
受信機12は、GPS衛星などの時刻情報を含む電波26を受信してクロック信号20を生成するものであり、ケーブル20によってアダプタ14と接続している。受信機12は公知のものでよく、ケーブル20はたとえば同軸ケーブルやRS232Cケーブルなどでよい。受信機12はクロック信号20をアダプタ14へ渡す。
【００１２】
アダプタ14は、受信機12と装置16と装置18とを接続するものであり、本実施例では受信機12から与えられたクロック信号20を装置18へ送出する。ここで、装置16および装置18は、それぞれケーブル22および24によってアダプタ14に接続され、相互にデータの送受信を行うものであり、ケーブル22および24は共に多芯線を有するケーブルである。本実施例ではケーブル22および24は8芯4対のツイストペアケーブルであり、このうち一部の芯線は装置16および18間の通信に使用されているが、少なくとも一対の芯線は使用されていない。以下では、装置16および18間の通信に利用されない芯線を未使用芯線と称する。
【００１３】
図２を参照して本実施例のアダプタ14の構成を詳細に説明する。本実施例においてアダプタ14はコネクタ27、28および30を含む。コネクタ27にはケーブル20が接続され、コネクタ28および30にはそれぞれケーブル22および24が接続される。各コネクタは必要に応じて信号増幅機能を備えてよい。コネクタ28、30はそれぞれ、複数の芯線を有するケーブル22および24に対応して複数のピンを有する。コネクタ28、30は公知のコネクタでよく、本実施例では８つのピンを有するRJ-45コネクタ（ISO国際標準）である。図３にコネクタ28のピン配置を示す。コネクタ28は８つのピン31、32、33、34、35、36、37および38を有する。コネクタ30はコネクタ28のピン31、32、33、34、35、36、37および38のそれぞれに対応した８つのピン39、40、41、42、43、44、45および46を有する。本実施例ではコネクタ30とケーブル24とが接続されることにより、コネクタ30のピン45および46はケーブル24の一組の未使用芯線と接続する。コネクタ28および30のその他のピンはそれぞれ、コネクタ28、30とケーブル22、24とが接続されることにより、ケーブル22、24の対応する芯線と接続されてもよいし、必要でなければ接続されていなくてもよい。コネクタ28のピン31、32、33、34、35、36、37および38と、コネクタ30のピン39、40、41、42、43、44、45および46とは、それぞれ接続線48、50、52、54、56、58、60および62で接続されている。
【００１４】
コネクタ27は、クロック信号20から信号64および66を生成してコネクタ28および30間の所望の接続線に供給するものである。図２に示す例ではコネクタ27は、信号64および66をそれぞれ接続線60および62に渡して装置18に供給する。なお、コネクタ27はケーブル22および24の種類によってはクロック信号20をそのまま１本の接続線に供給するだけでよい。
【００１５】
ここで、信号64、66の減衰やノイズの発生により装置18が信号64、66を正常に受け取ることができなかった場合には、装置18は装置16に対しエラーメッセージを送信し、装置16から時刻情報を取得してもよい。この場合、装置16は装置18と同様の方法で時刻情報を取得してよく、また装置18は、装置16を介して時刻情報を取得することにより発生する遅延時間を算出して、取得した時刻情報を補正してよい。
【００１６】
なお、アダプタ14が３つ以上の装置に時刻情報を供給する場合には、コネクタ27に接続するコネクタの数を増やすことにより対応可能である。
【００１７】
次に本発明の情報伝達システム10における情報伝達手順について具体的に説明する。まず電波26が受信機12によって受信され、電磁波26を基にクロック信号20が生成される。クロック信号20はアダプタ14へ供給され、コネクタ27で信号64および66に変換されて接続線60、62に供給される。クロック信号64、66は装置18へ送られる。
【００１８】
図４には、本発明による時刻情報伝達システムの別の一例が概念的に示されている。図４に示す時刻情報伝達システム100では、アダプタを介さずにクロック信号を伝送する。図４において図１と同じ参照番号は同様の構成要素を示す。
【００１９】
図４に示す例では、受信機12からのクロック信号20は装置16へ渡される。より具体的には、受信機12および装置18はそれぞれケーブル20および22を介して装置16に接続され、装置18は受信機12が生成したクロック信号を装置16を介して受け取る。
【００２０】
図５を参照して装置16の構成を詳細に説明する。図５において図２と同じ参照番号は同様の構成要素を示す。16装置はコネクタ27および68を含み、コネクタ68は、ケーブル22とコネクタ68とを接続することにより、ケーブル22の一対の未使用芯線と接続するピン70および72を含む。コネクタ27はクロック信号20を受け取り、信号64、66を生成してコネクタ68のピン70および72に供給し、装置18にクロック信号64、66を渡す。
【００２１】
次に本発明の情報伝達システム100におけるクロック信号20の伝達手順について具体的に説明する。受信機12で生成されたクロック信号20は、装置16へ供給されてコネクタ27で信号64および66に変換され、信号64および66はピン70および72に供給されてケーブル22の未使用芯線を介して装置18へ供給される。
【図面の簡単な説明】
【００２２】
【図１】本発明による情報伝達システムの実施例の構成を示すブロック図である。
【図２】図１に示すシステムにおけるアダプタの内部結線の概念を示す図である。
【図３】図２に示すアダプタのコネクタのピン配置の一例を示す図である。
【図４】本発明による情報伝達システムの他の実施例の構成を示すブロック図である。
【図５】図２に示すシステムにおける受信機に接続された装置の内部結線の概念を示す図である。
【符号の説明】
【００２３】
10  情報伝達システム
12  受信機
14  アダプタ
16  装置
18  装置
【図１】
2010081355.tif 000003
【図２】
2010081355.tif 000004
【図３】
2010081355.tif 000005
【図４】
2010081355.tif 000006
【図５】
2010081355.tif 000007